(57)【特許請求の範囲】
【請求項１】
カウンターと、
ミラーキャビネットと、
送風装置とを具備し、
前記ミラーキャビネットは、
前記カウンターの上方に配置されたキャビネット本体を備え、
前記キャビネット本体は、
前方に開口した収納部を有し、
前記ミラーキャビネットは、
前記キャビネット本体の前面に沿って配置され、前記収納部を閉塞する開閉可能な鏡を備え、
前記送風装置は、
送風機と、
前記送風機から送られた風を吹き出す送風口と、
前記送風機の運転の開始と停止とを切替えるための第１操作部と、
前記送風機の送風量を変更するための第２操作部とを備え、
前記第１操作部および前記第２操作部は、前記キャビネット本体の下方に配置され、
前記鏡の下端部は、前記キャビネット本体よりも下方に突出し、
前記第１操作部は、前記鏡よりも下方に配置され、
前記第２操作部は、前記鏡の下端部によって前方が覆われたことを特徴とする化粧台。
【請求項２】
前記送風口は、前記キャビネット本体の下方に配置され、
前記送風口は、前記鏡よりも下方に配置されたことを特徴とする請求項１に記載の化粧台。
【請求項３】
前記送風装置は、
前記送風機、前記送風口、前記第１操作部、および前記第２操作部が設けられたケースを備え、
前記ケースが前記キャビネット本体の下端部に取り付けられたことを特徴とする請求項１又は請求項２に記載の化粧台。
【請求項４】
ミラーキャビネットと、
送風装置とを具備し、
前記ミラーキャビネットは、
キャビネット本体を備え、
前記キャビネット本体は、
前方に開口した収納部を有し、
前記ミラーキャビネットは、
前記キャビネット本体の前面に沿って配置され、前記収納部を閉塞する開閉可能な鏡を備え、
前記送風装置は、
送風機と、
前記送風機から送られた風を吹き出す送風口と、
前記送風機の運転の開始と停止とを切替えるための第１操作部と、
前記送風機の送風量を変更するための第２操作部とを備え、
前記第１操作部および前記第２操作部は、前記キャビネット本体の下方に配置され、
前記鏡の下端部は、前記キャビネット本体よりも下方に突出し、
前記第１操作部は、前記鏡よりも下方に配置され、
前記第２操作部は、前記鏡の下端部によって前方が覆われたことを特徴とする送風機能付きミラーキャビネット。
【発明の詳細な説明】
【技術分野】
【０００１】
本発明は、化粧台、および送風機能付きミラーキャビネットに関する。
【背景技術】
【０００２】
特許文献１には、洗面化粧台が開示されている。この洗面化粧台は、洗面器と、洗面器の上方に配設されたミラーキャビネット部とを具備している。ミラーキャビネット部は、収納ボックスと、収納ボックスの前面側中央部に設けられた主鏡と、主鏡の左右側に設けられた隣接鏡とを備えている。収納ボックスには、収納ボックス内の収納空間を仕切る仕切部が形成されている。仕切部内には、風路が形成されており、仕切部の前端部には吹出口が開口している。吹出口は、主鏡と隣接鏡との間に存在している。収納ボックス内には風路を通じて吹出口から風を吹き出すファンが設けられている。吹出口から吹き出された風は、肌のほてりを冷やしたり、肌に付いた化粧水を乾かすために利用される。
【先行技術文献】
【特許文献】
【０００３】
【特許文献１】特開２００８−３６０８１号公報
【発明の概要】
【発明が解決しようとする課題】
【０００４】
特許文献１には、ファンを操作するための操作部が開示されていない。ましてや、特許文献１には、鏡の面積を十分に確保できかつ使い勝手が良くなるように、操作部を配置することは、開示されていない。
【０００５】
本発明は前記事情に鑑みてなされたものであって、鏡の面積を十分に確保しつつ、使い勝手のよい化粧台および送風機能付きミラーキャビネットを提供することを目的とする。
【課題を解決するための手段】
【０００６】
前記目的を達成するために本発明に係る一態様の化粧台は、以下の構成を有する。化粧台は、カウンターと、ミラーキャビネットと、送風装置とを具備する。前記ミラーキャビネットは、前記カウンターの上方に配置されたキャビネット本体を備える。前記キャビネット本体は、前方に開口した収納部を有する。前記ミラーキャビネットは、前記キャビネット本体の前面に沿って配置され、前記収納部を閉塞する開閉可能な鏡を備える。前記送風装置は、送風機と、前記送風機から送られた風を吹き出す送風口と、前記送風機の運転の開始と停止とを切替えるための第１操作部と、前記送風機の送風量を変更するための第２操作部とを備える。前記第１操作部および前記第２操作部は、前記キャビネット本体の下方に配置される。前記鏡の下端部は、前記キャビネット本体よりも下方に突出する。前記第１操作部は、前記鏡よりも下方に配置される。前記第２操作部は、前記鏡の下端部によって前方が覆われる。
【０００７】
本発明に係る一態様の送風機能付きミラーキャビネットは、以下の構成を有する。送風機能付きミラーキャビネットは、ミラーキャビネットと、送風装置とを具備する。前記ミラーキャビネットは、キャビネット本体を備える。前記キャビネット本体は、前方に開口した収納部を有する。前記ミラーキャビネットは、前記キャビネット本体の前面に沿って配置され、前記収納部を閉塞する開閉可能な鏡を備える。前記送風装置は、送風機と、前記送風機から送られた風を吹き出す送風口と、前記送風機の運転の開始と停止とを切替えるための第１操作部と、前記送風機の送風量を変更するための第２操作部とを備える。前記第１操作部および前記第２操作部は、前記キャビネット本体の下方に配置される。前記鏡の下端部は、前記キャビネット本体よりも下方に突出する。前記第１操作部は、前記鏡よりも下方に配置される。前記第２操作部は、前記鏡の下端部によって前方が覆われる。
【発明の効果】
【０００８】
本発明に係る化粧台および送風機能付きミラーキャビネットは、鏡の面積を十分に確保でき、かつ使い勝手が良い。
【図面の簡単な説明】
【０００９】
【図１】図１は、本発明に係る一実施形態の化粧台の正面図である。
【図２】図２は、同上の化粧台の送風機能付きミラーキャビネットの斜視図である。
【図３】図３は、同上の送風機能付きミラーキャビネットを後側から見たときの斜視図である。
【図４】図４は、図１のＡ部拡大図である。
【図５】図５は、同上の化粧台の鏡を開いた状態を示した正面図である。
【図６】図６は、本発明に係る変形例の化粧台の正面図である。
【発明を実施するための形態】
【００１０】
以下に示す実施形態は、化粧台、および送風機能付きミラーキャビネットに関し、詳しくは、キャビネット本体に鏡が設けられた化粧台、および送風機能付きミラーキャビネットに関する。
【００１１】
（実施形態）
（化粧台）
図１に示す本実施形態の化粧台１は、洗面化粧台である。化粧台１は、洗面所等の部屋の壁６に沿って床に設置される。なお、以下では、化粧台１について、化粧台１が設置された状態における方向を用いて説明する。すなわち、化粧台１から壁６に向かう方向を後方とし、壁６から化粧台１に向かう方向を前方とする。また、化粧台１を前方から見たときを基準として左右方向を定義する。
【００１２】
化粧台１の利用者は、化粧材１の前方に立って化粧台１を利用する。化粧台１は、洗面台２と、送風機能付きミラーキャビネット１０とを具備している。
【００１３】
（洗面台）
洗面台２は、台本体２０と、水栓装置２１とを備えている。台本体２０は、壁６に沿って床に設置される。台本体２０の内部には、収納空間２２が形成されている。台本体２０の前面は、収納空間２２の前方を閉塞する複数の扉２３で構成されている。
【００１４】
台本体２０の上端部には、板状のカウンター２４が設けられている。カウンター２４は、平坦な上面を有している。カウンター２４の上面は、台本体２０の上面を構成している。
【００１５】
カウンター２４には、上方に開口した椀状のボウル部２５が形成されている。カウンター２４には、ボウル部２５に水を供給する水栓装置２１が設けられている。
【００１６】
（送風機能付きミラーキャビネット）
送風機能付きミラーキャビネット１０は、ミラーキャビネット３と送風装置４とを備える。
【００１７】
（ミラーキャビネット）
ミラーキャビネット３は、壁６に沿って設置される。ミラーキャビネット３は、洗面台２の上方に配置される。ミラーキャビネット３は、キャビネット本体３０と、鏡３１とを有している。
【００１８】
キャビネット本体３０は、正面視矩形の箱状に形成されている。キャビネット本体３０は、前方に開口した凹状の収納部３２を有している。収納部３２の内側には、物品を収納するための空間３９が形成されている。収納部３２の前端には開口部が形成されており、この開口部を通じて空間３９は前方に開放される。
【００１９】
キャビネット本体３０の前端部には、キャビネット本体３０の前面に沿って配置され、収納部３２を閉塞する開閉可能な鏡３１が取り付けられている。なお、以下では、特に記載する場合を除き、鏡３１が閉じられた状態における化粧台１について説明する。
【００２０】
鏡３１は、前面が鏡面となった矩形板状の鏡扉である。鏡３１は、蝶番を介してキャビネット本体３０の左端部に、上下軸回り方向に回転可能に連結されており、開閉可能である。ここで、上下軸回り方向とは、上下方向と平行な回転軸を中心に回転する方向である。
【００２１】
鏡３１は、キャビネット本体３０の前面の全体に亘っている。鏡３１が開かれることで、収納部３２は前方に開放される。これにより、化粧台１の利用者は、収納部３２の空間３９に物品を出し入れすることが可能になる。鏡３１が閉じられることで、収納部３２および収納部３２に収納された物品は、鏡３１によって前側から覆われる。
【００２２】
鏡３１の下端部は、キャビネット本体３０の下端面よりも下方に突出している。以下、鏡３１において、キャビネット本体３０の下端面よりも下方に突出した部分を突出部３１０という。
【００２３】
（送風装置）
送風装置４は、洗面台２のカウンター２４と、ミラーキャビネット３との間に設けられる。
【００２４】
本実施形態の送風装置４は、キャビネット本体３０の下端部に取り付けられており、カウンター２４とミラーキャビネット３との間の空間における上端に位置している。
【００２５】
本実施形態の送風装置４は、図２に示すように、ケース４０と、ケース４０内に収納された送風機４１とを備えている。
【００２６】
（ケース）
ケース４０は、送風装置４の外面を構成している。ケース４０は、正面視矩形状で、左右方向に延びた箱状に形成されている。
【００２７】
ケース４０は、上面がキャビネット本体３０の下端面に接した状態で、複数のビスによりキャビネット本体３０に取り付けられている。ケース４０は、キャビネット本体３０の下端面の左右方向の全長に亘っている。
【００２８】
ケース４０は、キャビネット本体３０の下方に配置されている。ケース４０の上部は、鏡３１の突出部３１０の後方に位置しており、突出部３１０により前側が覆われている。ケース４０の下部は、鏡３１よりも下方に位置しており、前側が露出している。
【００２９】
ここで、送風装置４の利用において十分な量の風を発生させるために大型の送風機４１を用いた場合、ケース４０が大型になりやすい。しかし、本実施形態では、図２に示すように鏡３１の突出部３１０がケース４０の一部に被さるように配置される。このため、利用者はケース４０の大きさが気になり難くなり、送風装置４１がスリムに見えやすくなる。したがって、本実施形態の化粧台１は、全体として見栄えが良くなりやすい。
【００３０】
ケース４０の前端は、キャビネット本体３０の前面よりも後方に位置している。ケース４０の後端は、キャビネット本体３０の後端よりも前方に位置している。
【００３１】
図３に示すように、ケース４０の後端部には、後壁部４００が形成されている。ケース４０の後面は、後壁部４００の外面である。ケース４０の後面は、上端に近い部分ほど後方に位置するように傾斜している。
【００３２】
後壁部４００には、送風機４１の運転時においてケース４０外の空気をケース４０内に吸い込む吸気口４２が形成されている。吸気口４２は、後壁部４００を厚み方向に貫通し、後斜め下方に向かって開口している。上述したように、ケース４０の後面は、上端に近い部分ほど後方に位置するように傾斜している。このため、ケース４０の下側の空気は、吸気口４２に吸い込まれやすくなっている。
【００３３】
図２に示すように、ケース４０の前端部には、前壁部４０１が形成されている。ケース４０の前面は、前壁部４０１の外面である。ケース４０の前面は、キャビネット本体３０の前面と平行であり、前後方向に対して垂直な面である。
【００３４】
前壁部４０１には、送風機４１の運転時において発生した風をケース４０の前方に吹き出す送風口４４が設けられている。送風口４４は、前壁部４０１を厚み方向に貫通し、前方に向かって開口している。送風口４４は、左右方向に延びた矩形状の孔である。送風口４４は、前壁部４０１の下部に設けられており、鏡３１よりも下方に位置している。
【００３５】
（風向変更部）
本実施形態の送風装置４は、送風口４４から吹き出される風の向きを変更する風向変更部５０をさらに備えている。本実施形態の風向変更部５０は、上下方向に並んだ複数の羽板５０１を備えている。複数の羽板５０１の各々は、左右方向に延びており、送風口４４の左右方向の全長に亘っている。各羽板５０１は、ケース４０に対して左右軸回り方向に回転可能に設けられている。ここで、左右軸回り方向とは、左右方向と平行な回転軸を中心に回転する方向である。
【００３６】
ケース４０の前壁部４０１には、複数の羽板５０１に連結された操作部材５５が設けられている。操作部材５５は、前壁部４０１の下部に設けられており、送風口４４と同じ高さに設けられている。操作部材５５は、鏡３１よりも下方に位置している。利用者は、操作部材５５を手で操作することで、複数の羽板５０１を左右軸回り方向に回転できる。これにより、送風口４４から吹き出される風の向きが上下に変更される。
【００３７】
（送風機）
ケース４０の内部には、吸気口４２（図３参照）と送風口４４とを繋ぎ、吸気口４２と送風口４４とを通じさせる通気路４５が形成されている。通気路４５には、ケース４０の外部の空気を、吸気口４２からケース４０内に吸い込んで、送風口４４から前方に向かって吹き出す送風機４１が設けられている。本実施形態の送風機４１は、左右方向に延びたクロスフローファンである。
【００３８】
（操作部）
ケース４０には、送風機４１を操作するための操作部４７が設けられている。操作部４７は、図４および図５に示す、第１操作部４７１および第２操作部４７２を備えている。第１操作部４７１は、送風機４１（図２参照）の運転の開始と停止を切替えるために用いられる。第２操作部４７２は、送風機４１の送風量を変更するために用いられる。
【００３９】
第１操作部４７１および第２操作部４７２は、ケース４０の前壁部４０１に設けられている。本実施形態の第１操作部４７１および第２操作部４７２は、前壁部４０１の左右方向の一端部（右端部）に設けられている。
【００４０】
（第１操作部）
本実施形態の第１操作部４７１は、一つの釦で構成されている。第１操作部４７１は、前壁部４０１の下部に設けられている。第１操作部４７１は、送風口４４と同じ高さに設けられている。図４に示すように、第１操作部４７１は鏡３１よりも下方に位置している。このため、第１操作部４７１は、鏡３１によって覆われず、前方に露出している。
【００４１】
（第２操作部）
図５に示すように、本実施形態の第２操作部４７２は、一つの釦で構成されている。第２操作部４７２は、前壁部４０１の上部に設けられており、第１操作部４７１よりも上方に位置している。第２操作部４７２は、図４に示すように、鏡３１の突出部３１０の後方に位置しており、第２操作部４７２の前側は、突出部３１０によって覆われている。詳しくは、第２操作部４７２の前側は、突出部３１０の右端部（鏡３１の回転中心側とは反対側の端部）によって覆われている。
【００４２】
第２操作部４７２は、図５に示すように鏡３１を開いた状態において操作可能である。利用者により第２操作部４７２が操作されることで、送風機４１の送風量が「弱」、「中」、「強」のいずれかに設定される。送風機４１の送風量は、送風機４１の回転数が変えられることで、変更される。
【００４３】
（表示部）
図５に示すように、ケース４０には、送風機４１の運転状態を表示するための表示部５４が設けられている。表示部５４は、送風機４１が運転中であるか否かを表示するための第１表示部５４１と、送風機４１の送風量を表示するための第２表示部５４２とを備えている。
【００４４】
第１表示部５４１は、前壁部４０１の下部の右端部に設けられており、第１操作部４７１と左右方向に並んでいる。図４に示すように、第１表示部５４１は、鏡３１よりも下方に位置している。本実施形態の第１表示部５４１は、ランプである。
【００４５】
第２表示部５４２は、前壁部４０１の上部の右端部に設けられており、第２操作部４７２と左右方向に並んでいる。第２表示部５４２は、鏡３１の突出部３１０の後方に位置しており、突出部３１０により前側が覆われている。本実施形態の第２表示部５４２は、左右方向に並んだ複数のランプで構成されている。
【００４６】
（照明装置）
化粧台１は、図２および図３に示す照明装置７をさらに具備している。照明装置７は、キャビネット本体３０の下端面の後端部に沿って配置されており、キャビネット本体３０に取り付けられている。照明装置７は、下方に向けて光を発する光源を備えている。光源としては、例えば発光ダイオード、電球形蛍光灯、白熱電球等が用いられる。
【００４７】
照明装置７は、ケース４０の後方に位置している。照明装置７は、ケース４０の後方から下方に向かって光を照射し、ボウル部２５（図１参照）の内面およびカウンター２４（図１参照）の上面を照らす。ケース４０の後面は、前述したように、上端に近い部分ほど後方に位置するように傾斜している。このため、ケース４０の後方に位置する照明装置７から照射された光は、ケース４０によって遮られ難い。
【００４８】
本実施形態の送風装置４の操作部４７は、図１に示す第３操作部４７３をさらに備えている。第３操作部４７３は、照明装置７による照明の入切を切り替えるために用いられる。
【００４９】
第３操作部４７３は、ケース４０の前壁部４０１の下部の左端部に設けられている。第３操作部４７３は、送風口４４と同じ高さに設けられている。本実施形態では、第３操作部４７３、送風口４４、操作部材５５、第１表示部５４１、および第１操作部４７１が、この順序で左右方向に並んでいる。
【００５０】
第３操作部４７３は、鏡３１よりも下方に位置している。このため、第３操作部４７３は、突出部３１０によって覆われず、前方に露出している。
【００５１】
（利用方法）
化粧台１の利用者は、鏡３１を閉じた状態のまま、第１操作部４７１を前方から操作できる。利用者は、第１操作部４７１を押し操作することで、送風機４１の運転を開始できる。これにより、送風機４１から送られた風が送風口４４から吹き出され、利用者は送風口４４から吹き出された風によって涼んだり、マニキュアを乾かしたりできる。また、利用者は、第１操作部４７１を押し操作することで、送風機４１の運転を停止できる。
【００５２】
利用者は、鏡３１を閉じた状態のまま、第１表示部５４１を視認できる。利用者は、第１表示部５４１の点灯の有無、あるいは第１表示部５４１の発光色を視認することで、送風機４１が運転中であるか否かを認識できる。
【００５３】
利用者は、鏡３１を閉じた状態のまま、操作部材５５を操作できる。利用者は、操作部材５５を操作して複数の羽板５０１を左右軸回り方向に回転することで、送風口４４から吹き出される風の向きを上下に変更できる。
【００５４】
利用者は、鏡３１を閉じた状態のまま、第３操作部４７３を前方から操作できる。利用者は、第３操作部４７３を押し操作することで、照明装置７による照明の入切を切替えることができる。
【００５５】
利用者は、鏡３１を開いて第２操作部４７２を前方に露出させることで、第２操作部４７２を操作できる。利用者は、第２操作部４７２を押し操作することで、送風機４１の送風量を「弱」、「中」、「強」のいずれかに設定できる。なお、第２操作部４７２の操作による、送風機４１の送風量の変更は、送風機４１の運転時および運転停止時のいずれにおいても行うことができる。
【００５６】
利用者は、鏡３１が開いた状態にあるとき、第２表示部５４２を視認できる。利用者は、第２表示部５４２の点灯したランプを視認することで、送風機４１の送風量が、「弱」、「中」、「強」のいずれに設定されているかを認識できる。
【００５７】
（変形例）
以下、上記実施形態の変形例について説明する。以下の説明では、上記実施形態に対応する構成には、上記実施形態の構成に付記した符号の末尾に「ａ」を追加した符号を付記し、重複する説明は省略する。
【００５８】
図６に示す変形例の化粧台１ａのミラーキャビネット３ａは、三面鏡として利用可能である。キャビネット本体３０ａは、収納部３２ａとして、左右方向に並んだ複数の収納部３２１ａ〜３２３ａを有している。
【００５９】
キャビネット本体３０ａは、複数の収納部３２１ａ〜３２３ａとして、キャビネット本体３０ａの左右方向の中央部に位置したセンター収納部３２１ａと、キャビネット本体３０の左右両端部に位置した一対のサイド収納部３２２ａ，３２３ａとを有している。
【００６０】
各収納部３２１ａ〜３２３ａは、前方に向かって開口している。各収納部３２１ａ〜３２３ａの内側には、前方に開放された物品を収納するための空間３９１ａ〜３９３ａが形成されている。
【００６１】
ミラーキャビネット３ａは、鏡３１ａとして、複数の鏡３１１ａ〜３１３ａを有している。複数の鏡３１１ａ〜３１３ａの各々は、前面が鏡面となった矩形板状の鏡扉である。本実施形態のミラーキャビネット３ａは、複数の鏡３１１ａ〜３１３ａとして、３枚の鏡３１１ａ〜３１３ａを有している。
【００６２】
複数の鏡３１１ａ〜３１３ａは、キャビネット本体３０ａの前面において、複数の収納部３２１ａ〜３２３ａに対応する箇所にそれぞれ設けられている。複数の鏡３１１ａ〜３１３ａの各々は、キャビネット本体３０ａに対して、上下軸回り方向に回転可能に連結されている。複数の鏡３１１ａ〜３１３ａは、三面鏡として利用される。
【００６３】
各鏡３１１ａ〜３１３ａが開かれることで、対応する収納部３２１ａ〜３２３ａは前方に開放される。これにより、化粧台１の利用者は、各収納部３２１ａ〜３２３ａの空間３９１ａ〜３９３ａに物品を出し入れすることが可能になる。各鏡３１１ａ〜３１３ａが閉じられることで、各収納部３２１ａ〜３２３ａが、対応する鏡３１１ａ〜３１３ａによって前側から覆われる。
【００６４】
各鏡３１１ａ〜３１３ａの下端部は、キャビネット本体３０ａの下端面よりも下方に突出している。以下、センター収納部３２１ａを覆う中央の鏡３１１ａにおいて、キャビネット本体３０の下端面よりも下方に突出した部分を、突出部３１０ａという。
【００６５】
送風装置４ａは、複数の収納部３２１ａ〜３２３ａのうちの一つの収納部の下方に設けられている。なお、図示例の送風装置４ａは、センター収納部３２１ａの下方に設けられているが、左側のサイド収納部３２２ａの下方、あるいは右側のサイド収納部３２３ａの下方に設けられてもよい。
【００６６】
送風装置４ａの送風口４４ａ、操作部材５５ａ、第１操作部４７１ａ、第１表示部５４１ａ、および第３操作部４７３ａは、中央の鏡３１１ａよりも下方に位置しており、前方に露出している。送風装置４ａの第２操作部４７２ａおよび第２表示部５４２ａは、対応する鏡３１１ａの突出部３１０ａの後方に位置しており、突出部３１０ａで前側が覆われている。
【００６７】
利用者は、中央の鏡３１１ａを閉じたままの状態で、操作部材５５ａ、第１操作部４７１ａ、および第３操作部４７３ａを操作できる。利用者は、中央の鏡３１１ａを閉じたままの状態で、第１表示部５４１ａを視認できる。
【００６８】
利用者は、中央の鏡３１１ａを開いて、第２操作部４７２ａを前方に露出させることで、第２操作部４７２ａを操作可能にできる。利用者は、中央の鏡３１１ａを開いて、第２表示部５４２ａを前方に露出させることで、第２表示部５４２ａを視認できる。
【００６９】
（他例）
上記実施形態の第１操作部４７１および第２操作部４７２の各々は、一つの釦で構成されているが、例えば複数の釦で構成されてもよい。
【００７０】
上記実施形態の化粧台１の風向変更部５０は、送風口４４から吹き出される風の向きを上下方向および左右方向に変更できるように構成されてもよい。また、上記実施形態の化粧台１の風向変更部５０は、送風口４４から吹き出される風の向きを左右方向にのみ変更できるように構成されてもよい。
【００７１】
上記実施形態の風向変更部５０は、利用者の手で動かされるが、モーターなどの駆動部によって動かされてもよい。
【００７２】
上記実施形態および変形例の化粧台１は、洗面化粧台に限られず、水栓やボウル部２５を備えない化粧台であってもよい。
【００７３】
（効果）
以下、上述した実施形態に示した化粧台１の構成および効果について説明する。
【００７４】
第１の態様の化粧台１は、以下の構成を有する。化粧台１は、カウンター２４と、ミラーキャビネット３と、送風装置４とを具備する。ミラーキャビネット３は、カウンター２４の上方に配置されたキャビネット本体３０を備える。キャビネット本体３０は、前方に開口した収納部３２を有する。ミラーキャビネット３は、キャビネット本体３０の前面に沿って配置され、収納部３２を閉塞する開閉可能な鏡３１を備える。送風装置４は、送風機４１と、送風機４１から送られた風を吹き出す送風口４４と、送風機４１の運転の開始と停止とを切替えるための第１操作部４７１と、送風機４１の送風量を変更するための第２操作部４７２とを備える。第１操作部４７１および第２操作部４７２は、キャビネット本体３０の下方に配置される。鏡３１の下端部は、キャビネット本体３０よりも下方に突出する。第１操作部４７１は、鏡３１よりも下方に配置される。第２操作部４７２は、鏡３１の下端部によって前方が覆われる。
【００７５】
このような構成を有する第１の態様の化粧台１によれば、鏡３１の下端部が、キャビネット本体３０よりも下方に突出するため、鏡３１の面積を十分に確保できる。また、第１操作部４７１は、鏡３１よりも下方に配置される。このため、送風機４１の利用にあたって、第２操作部４７２よりも使用頻度の高い第１操作部４７１を、鏡３１を閉じた状態のまま操作可能にでき、使い勝手が良い。また、第２操作部４７２は、鏡３１の下端部によって覆われるため、化粧台１の見栄えが良い。
【００７６】
第２の態様の化粧台１は、第１の態様の化粧台１において以下の付加的な構成を有する。送風口４４は、キャビネット本体３０の下方に配置される。送風口４４は、鏡３１よりも下方に配置される。
【００７７】
このような構成を有する第２の態様の化粧台１によれば、送風口４４が鏡３１よりも下方に配置されるため、送風口４４から吹き出された風が、鏡３１に当たり難くなり、送風口４４の前側に効率良く風を吹き出すことができる。
【００７８】
第３の態様の化粧台１は、第１の態様又は第２の態様の化粧台１において以下の付加的な構成を有する。送風装置４は、送風機４１、送風口４４、第１操作部４７１、および第２操作部４７２が設けられたケース４０を備える。ケース４０がキャビネット本体３０の下端部に取り付けられる。
【００７９】
このような構成を有する第３の態様の化粧台１によれば、送風機４１、送風口４４、第１操作部４７１、および第２操作部４７２が設けられたケース４０をキャビネット本体３０の下端部に取り付けることで、送風装置４を設置できる。
【００８０】
第４の態様の送風機能付きミラーキャビネット１０は、以下の構成を有する。送風機能付きミラーキャビネット１０は、ミラーキャビネット３と、送風装置４とを具備する。ミラーキャビネット１０は、キャビネット本体３０を備える。キャビネット本体３０は、前方に開口した収納部３２を有する。ミラーキャビネット３は、キャビネット本体３０の前面に沿って配置され、収納部３２を閉塞する開閉可能な鏡３１を備える。送風装置４は、送風機４１と、送風機４１から送られた風を吹き出す送風口４４と、送風機４１の運転の開始と停止とを切替えるための第１操作部４７１と、送風機４１の送風量を変更するための第２操作部４７２とを備える。第１操作部４７１および第２操作部４７２は、キャビネット本体３０の下方に配置される。鏡３１の下端部は、キャビネット本体３０よりも下方に突出する。第１操作部４７１は、鏡３１よりも下方に配置される。第２操作部４７２は、鏡３１の下端部によって前方が覆われる。
【００８１】
このような構成を有する第４の態様の送風機能付きミラーキャビネット１０によれば、鏡３１の下端部がキャビネット本体３０よりも下方に突出するため、鏡３１の面積を十分に確保できる。また、第１操作部４７１は、鏡３１よりも下方に配置される。このため、送風機４１の利用にあたって使用頻度の高い第１操作部４７１を、鏡３１を閉じた状態のまま操作可能にでき、使い勝手が良い。また、第２操作部４７２は、鏡３１の下端部によって覆われるため、見栄えがよい。
【符号の説明】
【００８２】
１  化粧台
１０  送風機能付きミラーキャビネット
２４  カウンター
３  ミラーキャビネット
３０  キャビネット本体
３１  鏡
３１０  突出部（鏡の下端部）
３２  収納部
４  送風装置
４０  ケース
４１  送風機
４４  送風口
４７１  第１操作部
４７２  第２操作部
【図１】
0006643679.tif 000002
【図２】
0006643679.tif 000003
【図３】
0006643679.tif 000004
【図４】
0006643679.tif 000005
【図５】
0006643679.tif 000006
【図６】
0006643679.tif 000007